(57)【要約】  【課題】明るさセンサの出力値が所定の目標値になるように制御する場合に起こる被照射面に対する照度不足を防止する。  【解決手段】  照明制御方法により、外光の暗時の、各照明器具の調光出力範囲に対する明るさセンサの出力変化特性線ＬD と、外光の明時の、各照明器具の調光出力範囲に対する明るさセンサの出力変化特性線ＬSLとにおける被照射面の明るさが等しくなる両点Ｐ１，Ｐ２を基に、明るさセンサの出力に応じた各照明器具の調光出力を決定する。また、明るさセンサを備え、上記照明制御方法により決定される調光出力で各照明器具の調光制御をするように、調光制御装置を構成する。【選択図】図１
2005158458.tif 000002
【特許請求の範囲】
【請求項１】
外光の入る室内環境における調光可能な照明器具による被照射面の明暗を左右するそれら照明器具および外光のうち、少なくとも外光の明暗に応じて出力を変化させる明るさセンサから得られる出力に基づいて、前記照明器具の調光出力を決定するための照明制御方法であって、
前記外光の暗時の、前記照明器具の調光出力範囲に対する前記明るさセンサの出力変化特性線と、前記外光の明時の、前記照明器具の調光出力範囲に対する前記明るさセンサの出力変化特性線とにおける前記被照射面の明るさが等しくなる両点を基に、前記明るさセンサの出力に応じた前記照明器具の調光出力を決定することを特徴とする照明制御方法。
【請求項２】
前記照明器具および外光による前記被照射面からの反射光の明暗に応じて出力が変化するように前記明るさセンサを設置して、前記両点を基に、前記明るさセンサの出力に応じた前記照明器具の調光出力を決定することを特徴とする請求項１記載の照明制御方法。
【請求項３】
前記両点間を通る直線を基に得られる各点からなり、前記明るさセンサの出力に対する前記照明器具の調光出力を含むテーブルを設け、このテーブルから前記明るさセンサの出力に対する前記照明器具の調光出力を特定することにより、前記明るさセンサの出力に応じた前記照明器具の調光出力を決定することを特徴とする請求項１または２記載の照明制御方法。
【請求項４】
前記両点間に対応する前記明るさセンサの出力変化幅と、前記両点間に対応する前記照明器具の調光出力変化幅とに基づいて、前記両点から得られる目標値を増減することにより、前記明るさセンサの出力に応じた前記照明器具の調光出力を決定することを特徴とする請求項１または２記載の照明制御方法。
【請求項５】
前記照明器具の調光出力範囲の一部に対しては、前記両点間を通る直線を基に得られる各点からなり、前記明るさセンサの出力に対する前記照明器具の調光出力を含むテーブルを設け、このテーブルから前記明るさセンサの出力に対する前記照明器具の調光出力を特定することにより、前記明るさセンサの出力に応じた前記照明器具の調光出力を決定する一方、
前記照明器具の調光出力範囲の別の一部に対しては、前記両点間に対応する前記明るさセンサの出力変化幅と、前記両点間に対応する前記照明器具の調光出力変化幅とに基づいて、前記両点から得られる目標値を増減することにより、前記明るさセンサの出力に応じた前記照明器具の調光出力を決定する
ことを特徴とする請求項１または２記載の照明制御方法。
【請求項６】
前記テーブルは、前記両点間を通る直線またはこれに沿った曲線上の各点からなることを特徴とする請求項３または５記載の照明制御方法。
【請求項７】
前記両点から得られる目標値を直線的または曲線的に増減することを特徴とする請求項４または５記載の照明制御方法。
【請求項８】
前記両点から得られる目標値を増減するタイミングを所定時間遅延することを特徴とする請求項４、５または７記載の照明制御方法。
【請求項９】
前記明るさセンサの出力から得られる外光の変化幅を基に、前記両点から得られる目標値を変化させることを特徴とする請求項４、５、７または８記載の照明制御方法。
【請求項１０】
前記テーブルを複数種類設け、これら複数種類のテーブルのうちいずれかの種類のテーブルに切り替え、この切り替えたテーブルを基に、前記明るさセンサの出力に対する前記照明器具の調光出力を特定することを特徴とする請求項３、５または６記載の照明制御方法。
【請求項１１】
前記明るさセンサの出力変化幅、前記照明器具の調光出力変化幅および前記目標値を種類別に複数組み設け、これら複数組みをいずれかの組みに切り替え、この切り替えた組みの明るさセンサの出力変化幅、照明器具の調光出力変化幅および目標値を基に、前記明るさセンサの出力に応じた前記照明器具の調光出力を決定することを特徴とする請求項４、５、７、８または９記載の照明制御方法。
【請求項１２】
前記明るさセンサを備え、請求項１から１１のいずれかに記載の照明制御方法により決定される調光出力で前記照明器具の調光制御をすることを特徴とする調光制御装置。
【発明の詳細な説明】
【技術分野】
【０００１】
本発明は、外光の入る室内環境における調光可能な照明器具による被照射面の明暗を左右するそれら照明器具および外光のうち、少なくとも外光の明暗に応じて出力を変化させる明るさセンサから得られる出力に基づいて、照明器具の調光出力を決定するための照明制御方法、並びに、その方法を用いる調光制御装置に関するものである。
【背景技術】
【０００２】
図１６は例えば中小規模施設、ビルに使用されている従来の照明制御方法の説明図である。
【０００３】
図１６の照明制御方法は、例えば、天井に設置され電源線を介して商用電源と接続される照明器具を複数備えているとともに、天井に設置され、電源線および制御線を介してそれぞれ商用電源および各照明器具と接続される照明制御装置を備え、窓から外光の入る室内環境に設置される照明システム（後述の図２参照）に使用される。
【０００４】
照明制御装置には、明るさセンサ、記憶部および制御部などが具備される。明るさセンサは、光学系により所定高の天井から床面に対して所定視野角で臨み、外光および照明器具の光による被照射面（机上面）からの反射光の明暗（光入力）に応じて、ほぼ線形に変化する出力（センサ出力）を電圧信号で照明制御装置の制御部に送るようになっている。記憶部には、所定の基準値が予め記憶されている。
【０００５】
制御部は、明るさセンサからの出力値が記憶部に記憶されている基準値になるように各照明器具の調光をすることにより、被照射面の明るさを一定に保つように制御する。具体的には、図１６に示すように、外光が無い場合、外光が少ない場合、外光が多い場合のいずれであっても、明るさセンサの出力値が上記基準値（Ｐ[Ｖ]）になるように、各照明器具の調光が行われる。この調光制御により、図１６の例では、外光が無い場合には各照明器具が７０％の調光出力で点灯し、外光が少ない場合には各照明器具が外光少に相当する分だけ減少した５０％の調光出力で点灯し、外光が多い場合には外光多に相当する分だけ減少した各照明器具が４５％の調光出力で点灯している。このような調光制御によれば、外光を利用した省エネ照明制御が可能となる。
【０００６】
なお、特許文献１には、明るさセンサの出力に基づいて被照射面における外光の有無を判定し、被照射面の照度が設定照度に維持されるように外光の有無に応じてフィードバック制御の目標値を制御することにより、自然光などの外光が得られているときに、被照射面の照度が設定照度よりも低下するのを抑制することができ、自然光が得られているときに生じていた暗さ感を抑制することができる照明装置が記載されている。
【０００７】
また、特許文献２には、所定時間間隔で照度計の出力変化を読み取り、その値の変化に応じて蛍光灯への出力電流値を変更し、明るさが当所設定した設計照度に保たれるように補正する蛍光灯照明調光システムが記載されている。
【特許文献１】特開２００１−５２８７９号公報
【特許文献２】特開平７−２３５３９０号公報
【発明の開示】
【発明が解決しようとする課題】
【０００８】
しかしながら、図１６の従来の照明制御方法では、外光の入射する角度によっては被照射面の照度にばらつきが生じ、図１７に示すように、被照射面に照度不足が発生する課題があった。
【０００９】
すなわち、図１７の例に示すように、天井面の照度が約１５０[ｌｘ]になるように制御すると、外光量が多くなるほど、１３００、１１１０、７００[ｌｘ]のように被照射面の照度が暗くなることが分かった。ここで、I 群、II群、III 群は、それぞれある室内環境における外光多、外光少、外光無しの場合の調光出力（光源の出力）に対する天井面の照度の特性図を示し、IV群、V 群、VI群は、それぞれ別の室内環境における外光多、外光少、外光無しの場合の調光出力（光源の出力）に対する天井面の照度の特性図を示す。
【００１０】
本発明は、上記事情に鑑みてなされたものであり、明るさセンサの出力値が所定の目標値になるように制御する場合に起こる被照射面に対する照度不足を防止することが可能となる照明制御方法およびこれを用いる調光制御装置を提供することを目的とする。
【課題を解決するための手段】
【００１１】
上記課題を解決するための請求項１記載の発明は、外光の入る室内環境における調光可能な照明器具による被照射面の明暗を左右するそれら照明器具および外光のうち、少なくとも外光の明暗に応じて出力を変化させる明るさセンサから得られる出力に基づいて、前記照明器具の調光出力を決定するための照明制御方法であって、前記外光の暗時の、前記照明器具の調光出力範囲に対する前記明るさセンサの出力変化特性線と、前記外光の明時の、前記照明器具の調光出力範囲に対する前記明るさセンサの出力変化特性線とにおける前記被照射面の明るさが等しくなる両点を基に、前記明るさセンサの出力に応じた前記照明器具の調光出力を決定することを特徴とする。
【００１２】
この方法では、外光の暗時の明るさセンサの出力変化特性線と、外光の明時の明るさセンサの出力変化特性線とにおける被照射面の明るさが等しくなる両点を基に、明るさセンサの出力に応じた照明器具の調光出力を決定することにより、明るさセンサの出力値が所定の目標値になるように制御する場合に起こる被照射面に対する照度不足を防止することができる。
【００１３】
請求項２記載の発明は、請求項１記載の照明制御方法において、前記照明器具および外光による前記被照射面からの反射光の明暗に応じて出力が変化するように前記明るさセンサを設置して、前記両点を基に、前記明るさセンサの出力に応じた前記照明器具の調光出力を決定することを特徴とする。この方法でも、明るさセンサの出力値が所定の目標値になるように制御する場合に起こる被照射面に対する照度不足を防止することができる。
【００１４】
請求項３記載の発明は、請求項１または２記載の照明制御方法において、前記両点間を通る直線を基に得られる各点からなり、前記明るさセンサの出力に対する前記照明器具の調光出力を含むテーブルを設け、このテーブルから前記明るさセンサの出力に対する前記照明器具の調光出力を特定することにより、前記明るさセンサの出力に応じた前記照明器具の調光出力を決定することを特徴とする。この方法では、テーブルから明るさセンサの出力に対する照明器具の調光出力を読み出すだけで、照明器具の調光制御が可能になる。また、例えばテーブル内のデータ数を増やすことにより、照明器具に対するきめ細かな調光制御が可能となる。
【００１５】
請求項４記載の発明は、請求項１または２記載の照明制御方法において、前記両点間に対応する前記明るさセンサの出力変化幅と、前記両点間に対応する前記照明器具の調光出力変化幅とに基づいて、前記両点から得られる目標値を増減することにより、前記明るさセンサの出力に応じた前記照明器具の調光出力を決定することを特徴とする。この方法では、明るさセンサの出力変化幅と、照明器具の調光出力変化幅と、両点から得られる目標値とを保持するだけで済むので、例えばメモリを使用する場合にその容量が少なくて済むという効果がある。
【００１６】
請求項５記載の発明は、請求項１または２記載の照明制御方法において、前記照明器具の調光出力範囲の一部に対しては、前記両点間を通る直線を基に得られる各点からなり、前記明るさセンサの出力に対する前記照明器具の調光出力を含むテーブルを設け、このテーブルから前記明るさセンサの出力に対する前記照明器具の調光出力を特定することにより、前記明るさセンサの出力に応じた前記照明器具の調光出力を決定する一方、前記照明器具の調光出力範囲の別の一部に対しては、前記両点間に対応する前記明るさセンサの出力変化幅と、前記両点間に対応する前記照明器具の調光出力変化幅とに基づいて、前記両点から得られる目標値を増減することにより、前記明るさセンサの出力に応じた前記照明器具の調光出力を決定することを特徴とする。この方法でも、明るさセンサの出力値が所定の目標値になるように制御する場合に起こる被照射面に対する照度不足を防止することができる。
【００１７】
請求項６記載の発明は、請求項３または５記載の照明制御方法において、前記テーブルは、前記両点間を通る直線またはこれに沿った曲線上の各点からなることを特徴とする。この方法では、直線の場合には外光が変化しても被照射面の照度を一定に保つことが可能となり、曲線の場合には、被照射面の照度を例えば人の都合に良いように変化させることが可能となる。
【００１８】
請求項７記載の発明は、請求項４または５記載の照明制御方法において、前記両点から得られる目標値を直線的または曲線的に増減することを特徴とする。この方法では、目標値を直線的に増減する場合には被照射面の照度を一定に保つことが可能となり、曲線的に増減する場合には、被照射面の照度を例えば人の都合に良いように変化させることが可能となる。
【００１９】
請求項８記載の発明は、請求項４、５または７記載の照明制御方法において、前記両点から得られる目標値を増減するタイミングを所定時間遅延することを特徴とする。この方法では、明るさセンサの出力に応じて照明器具の調光出力を決定する制御を簡易にすることができる。
【００２０】
請求項９記載の発明は、請求項４、５、７または８記載の照明制御方法において、前記明るさセンサの出力から得られる外光の変化幅を基に、前記両点から得られる目標値を変化させることを特徴とする。この方法では、被照射面の照度が頻繁に変化することを防止することが可能となる。
【００２１】
請求項１０記載の発明は、請求項３、５または６記載の照明制御方法において、前記テーブルを複数種類設け、これら複数種類のテーブルのうちいずれかの種類のテーブルに切り替え、この切り替えたテーブルを基に、前記明るさセンサの出力に対する前記照明器具の調光出力を特定することを特徴とする。この方法では、被照射面の照度を例えば人の都合に良いように、また室内環境に合わせて変化させることが可能となる。
【００２２】
請求項１１記載の発明は、請求項４、５、７、８または９記載の照明制御方法において、前記明るさセンサの出力変化幅、前記照明器具の調光出力変化幅および前記目標値を種類別に複数組み設け、これら複数組みをいずれかの組みに切り替え、この切り替えた組みの明るさセンサの出力変化幅、照明器具の調光出力変化幅および目標値を基に、前記明るさセンサの出力に応じた前記照明器具の調光出力を決定することを特徴とする。この方法では、被照射面の照度を例えば人の都合に良いように、また室内環境に合わせて変化させることが可能となる。
【００２３】
請求項１２記載の発明の調光制御装置は、前記明るさセンサを備え、請求項１から１１のいずれかに記載の照明制御方法により決定される調光出力で前記照明器具の調光制御をすることを特徴とする。この構成では、明るさセンサの出力値が所定の目標値になるように制御する場合に起こる被照射面に対する照度不足を防止することが可能となる。
【発明の効果】
【００２４】
本発明によれば、明るさセンサの出力値が所定の目標値になるように制御する場合に起こる被照射面に対する照度不足を防止することが可能となる。
【発明を実施するための最良の形態】
【００２５】
（実施形態１）
図１は本発明による実施形態１の照明制御方法の説明図、図２は同照明制御方法を用いる照明制御装置を含む照明システムの概略構成図、図３は同照明システムのブロック図、図４は上記照明制御装置内の明るさセンサの検出エリアを示す図、図５は同明るさセンサの入出力特性図である。
【００２６】
図２に示す照明システムは、天井Ｃに設置され電源線Ｌ１を介して商用電源ＡＣと接続される照明器具１を複数備えているとともに、天井Ｃに設置され、電源線Ｌ１および制御線（調光信号用通信線）Ｌ２を介してそれぞれ商用電源ＡＣおよび各照明器具１と接続される照明制御装置２を備え、窓Ｗから外光（太陽光）ＳＬの入る室内環境で使用されている。なお、Ｄは机である。また、各照明器具１および照明制御装置２の商用電源ＡＣは同一系統でもよく、別系統でもよい。
【００２７】
照明器具１は、図３に示すように、例えば蛍光灯などの光源１１と、制御線Ｌ２を介して照明制御装置２から得られる例えばＰＷＭ波形の調光信号に従って、そのパルス幅の比（Ｄｕｔｙ比）に応じて光源１１の調光をする光源制御部１０とにより構成されている。
【００２８】
照明制御装置２は、省エネを目的として積極的に採り入れられる外光ＳＬを利用しながら、各照明器具１の調光（全点灯および消灯を含む）をすることにより机上面の照度を調整するものであり、図示しないリモコンとの信号送受信用のリモコン送受信部２１を備えているほか、明るさセンサ２２と、記憶部２３と、制御部２０とを備えている。
【００２９】
明るさセンサ２２は、図４に示すように、光学系（図示せず）により高さ約２．５ｍの天井Ｃから床面に対して約φ４ｍの視野角で臨み、図２，図５に示すように、外光ＳＬおよび照明器具２の光Ｌによる机上面（被照射面）からの反射光ＣＬ１，ＣＬ２の明暗（光入力）に応じて、ほぼ線形に変化する出力（センサ出力）を電圧信号で制御部２０に送るようになっている。この電圧信号は、動作時には常時、制御部２０に送られる。
【００３０】
記憶部２３は、例えば読み書き可能な不揮発性の半導体メモリなどにより構成され、リモコン送受信部２１を介して入力される設定値および下記の（表１）に示すような明るさセンサ２２の出力に対する各照明器具１の調光出力（光源出力）を含むテーブルなどの各種データを記憶する。
【００３１】
【表１】
2005158458.tif 000003
【００３２】
制御部２０は、例えばマイコン、メモリおよびプログラムなどにより構成され、照明システム全般の制御などの処理を実行するものであり、例えば、リモコン送受信部２１を介して入力される（全点灯および消灯を含む）調光指示信号に応じて、ＰＷＭ波形の調光信号を生成して制御線Ｌ２を介して各照明器具１に送信する処理を実行する。また、照度一定指示信号に応じて、テーブルから、一定時間毎に、明るさセンサ２２の出力に対する各照明器具１の調光出力を特定することにより、明るさセンサ２２の出力に応じた各照明器具１の調光出力を決定し、この調光出力を基にＰＷＭ波形の調光信号を生成して制御線Ｌ２を介して各照明器具１に送信する処理を実行する。さらに、制御部２０には設定値を基に上記（表１）のテーブルを作成するテーブル作成機能が具備される。
【００３３】
次に、上記構成の照明システムの動作について説明する。リモコンを操作して所望の調光指示信号を照明制御装置２に送信すれば、照明制御装置２において、その調光指示信号に応じた調光信号が生成され、各照明器具１に送信される。この後、各照明器具１では、照明制御装置２から得られる調光信号に応じた調光により、光源１１が所望の調光状態となる。例えば、各光源１１は、全点灯の調光信号であれば全点灯状態となり、消灯の調光信号であれば消灯状態となり、それら中間の調光信号であればそれら中間の点灯状態となる。また、照度上昇の調光信号であれば照度が所定ステップ上昇した状態となり、照度降下の調光信号であれば照度が所定ステップ降下した状態となる。
【００３４】
また、リモコンを操作して照度一定指示信号を照明制御装置２に送信すれば、照明制御装置２において、テーブルから明るさセンサ２２の出力に対する各照明器具１の調光出力を特定することにより、明るさセンサ２２の出力に応じた各照明器具１の調光出力が決定され、この調光出力を基に調光信号が生成されて各照明器具１に送信される。この後、各照明器具１では、照明制御装置２から得られる調光信号に応じた照度一定の調光により、光源１１が机上面の照度が一定となるように点灯する。このとき、明るさセンサ２２は常時出力を制御部２０に送っているので、反応良く机上面の照度を一定に保持することができる。
【００３５】
次に、上記テーブルの作成原理について説明する。図１７に示すように、一つの照度目標値を基に、天井面の照度を一定に保つように制御すると、I 群（外光多）、II群（外光少）、III 群（外光無し）の特性線から、机上面（被照射面）の照度が大きくばらつくのが分かる。図１７の例では、約１５０[ｌｘ]の照度目標値の場合に、I 群の外光多、II群の外光少、III 群の外光無しにおいて、被照射面の照度がそれぞれ７００、１１１０、１３００[ｌｘ]と大きくばらついている。なお、図１７において、I 群、II群、III 群の特性とIV群、V 群、VI群の特性との違いは、主として、窓の大きさ、数、各照明器具の配置、床材や机の配置などに起因する。そして、外光の変化は、季節、気候、時間帯などに起因する。
【００３６】
実施形態１では、外光による被照射面に対する照度不足を防止するべく、図１に示すように、外光の暗（外光無し）時の、各照明器具１の調光出力（光源出力）範囲に対する明るさセンサ２２の出力変化特性線ＬD と、外光の明（外光有り）時の、各照明器具１の調光出力範囲に対する明るさセンサ２２の出力変化特性線ＬSLとにおける被照射面の明るさが等しくなる両点Ｐ１，Ｐ２を基に、明るさセンサ２２の出力に応じた各照明器具１の調光出力を決定する方法（照明制御方法）をとる。具体的には、両点Ｐ１，Ｐ２間を通る直線ＬＮ１上の各点からなり、（表１）に示すように、調光率の１％単位の各照明器具１の調光出力を明るさセンサ２２の出力に対応付けて含むように、テーブルが作成される。
【００３７】
次に、上記テーブルの作成手順について説明する。実施形態１では、図１７から分かるように、上記テーブルは室内環境が変わればその内容が変化するので、実際の室内環境に合わせて上記テーブルを作成する。
【００３８】
先ず、夜間などで外光および各照明器具の光のうち外光のみが無い状態において、机上面照度が所望の照度（例えば７００[ｌｘ]）になるように、リモコンを操作して各照明器具１の調光をし、そのときのセンサ出力（明るさセンサ出力）と調光出力（光源出力）とを設定値（図１のＰ１）として記憶部２３に記憶する。
【００３９】
次いで、昼間などで外光および各照明器具の光の有る状態において、机上面照度が上記所望の照度になるように、リモコンを操作して各照明器具１の調光をし、そのときのセンサ出力と調光出力とを設定値（図１のＰ２）として記憶部２３に記憶する。この場合の設定は、最も外光の影響が強い時に行うことが望ましい。
【００４０】
次いで、上記テーブル作成機能により、記憶部２３に記憶した両設定値Ｐ１，Ｐ２を通る直線ＬＮ１上の各点からなり、明るさセンサ２２の出力に対する各照明器具１の調光出力を含み、上記所望の照度に対応する調光出力を最大出力とするテーブル（表１参照）を作成し、これを記憶部２３に記憶させる。
【００４１】
以上、実施形態１によれば、外光の暗時の明るさセンサ２２の出力変化特性線と、外光の明時の明るさセンサ２２の出力変化特性線とにおける被照射面の明るさが等しくなる両点を基に、明るさセンサ２２の出力に応じた各照明器具１の調光出力を決定することにより、明るさセンサの出力値が所定の目標値になるように制御する場合に起こる被照射面に対する照度不足を防止することができる。
【００４２】
また、テーブルから明るさセンサ２２の出力に対する各照明器具１の調光出力を読み出すだけで、各照明器具１の調光制御が可能になる。また、例えばテーブル内のデータ数を増やすことにより、各照明器具１に対するきめ細かな調光制御が可能となる。
【００４３】
さらに、テーブルが両点Ｐ１，Ｐ２間を通る直線ＬＮ１上の各点からなるので、外光が変化しても被照射面の照度を一定に保つことが可能となる。
【００４４】
なお、実施形態１において、急激な調光出力変化を与えると、明るさセンサ２２の出力も瞬時に変わるため、テーブルの読み取り周期を遅く設定したり、テーブルに従った調光出力の変化を比較的長時間で行うなどして、各照明器具１の出力の振動を緩やかにして明るさ感に違和感のないようにすることが望ましい。
【００４５】
（実施形態２）
図６は本発明による実施形態２の照明制御方法の説明図である。
【００４６】
実施形態２の照明システムは、実施形態１と同様に構成されるが、実施形態１との相違点として、テーブルに代えて、図６に示すように、上記両点Ｐ１，Ｐ２間に対応する明るさセンサ２２の出力変化幅ΔＶと、両点Ｐ１，Ｐ２間に対応する各照明器具１の調光出力変化幅ΔＴとに基づいて、両点Ｐ１，Ｐ２から得られる一つの目標値を増減することにより、明るさセンサ２２の出力に応じた各照明器具１の調光出力を決定する照明制御方法を用いることを特徴とする。
【００４７】
したがって、実施形態２の制御部２０は、テーブル作成機能に代えて、出力変化幅ΔＶと調光出力変化幅ΔＴとに基づいて、一つの目標値を増減することにより、明るさセンサ２２の出力に応じた各照明器具１の調光出力を決定し、この調光出力を基にＰＷＭ波形の調光信号を生成して制御線Ｌ２を介して各照明器具１に送信するように構成される。
【００４８】
また、記憶部２３には、テーブルに代えて、出力変化幅ΔＶ、調光出力変化幅ΔＴおよび目標値が記憶される。
【００４９】
次に、出力変化幅ΔＶ、調光出力変化幅ΔＴおよび目標値の設定の手順について説明する。それら設定対象は室内環境が変われば変化するので、実施形態２では、実際の室内環境に合わせて設定が行われる。
【００５０】
先ず、夜間などで外光および各照明器具の光のうち外光のみが無い状態において、机上面照度が所望の照度（例えば７００[ｌｘ]）になるように、リモコンを操作して各照明器具１の調光をし、そのときのセンサ出力と調光出力とを設定値（図１のＰ１参照）として記憶部２３に記憶する。
【００５１】
次いで、昼間などで外光および各照明器具の光の有る状態において、机上面照度が上記所望の照度になるように、リモコンを操作して各照明器具１の調光をし、そのときのセンサ出力と調光出力とを設定値（図１のＰ２参照）として記憶部２３に記憶する。この場合の設定は、最も外光の影響が強い時に行うことが望ましい。
【００５２】
次いで、両点Ｐ１，Ｐ２間に対応する明るさセンサ２２の出力変化幅ΔＶおよび各照明器具１の調光出力変化幅ΔＴを演算により求めて記憶部２３に記憶する。具体的には、両点Ｐ１，Ｐ２間を結ぶ直線からその傾きを求め、その傾きの明るさセンサ出力方向の成分と調光出力方向の成分とをそれぞれ出力変化幅ΔＶと調光出力変化幅ΔＴとする。このとき、両成分のうち一方の成分を所定の幅に設定することにより他方の成分の幅が決まる。図６の例では、調光出力方向の成分を５％の幅ΔＴに設定することにより、明るさセンサ出力方向の成分の幅ΔＶが決定されている。
【００５３】
次いで、両点Ｐ１，Ｐ２から一つの目標値を得て記憶部２３に記憶する。具体的には、両点Ｐ１，Ｐ２を基点に上記出力変化幅ΔＶおよび調光出力変化幅ΔＴにより決まる斜幅によって区切られる各点のうちから一つの点を特定し、その点の明るさセンサ出力（例えばα）を目標値とする。この目標値αは、図６の例では７０％の調光出力と対応付けられる。なお、上記所望の照度に対応する調光出力が最大出力となる。
【００５４】
次に、実施形態２の特徴となる動作について説明する。リモコンを操作して照度一定指示信号を照明制御装置２に送信すれば、照明制御装置２において、出力変化幅ΔＶと調光出力変化幅ΔＴとに基づいて、目標値αを増減することにより、明るさセンサ２２の出力に応じた各照明器具１の調光出力が決定され、この調光出力を基に調光信号が生成されて各照明器具１に送信される。
【００５５】
具体的には、調光出力が目標値αに対応する７０％であったとき、外光が強くなって明るさセンサ２２の出力が目標値αより大きくなると、明るさセンサ２２の出力を目標値αにするために必要となる調光出力の降下幅が５％のΔＴより小さい間は、明るさセンサ２２の出力が目標値αになるように、調光出力を下げる調光信号が生成されて送信される。逆に、外光が弱くなって明るさセンサ２２の出力が目標値αより小さくなると、明るさセンサ２２の出力を目標値αにするために必要となる調光出力の上昇幅がΔＴより小さい間は、明るさセンサ２２の出力が目標値αになるように、調光出力を上げる調光信号が生成されて送信される。つまり、目標値αを基に被照射面が一定照度に制御される。
【００５６】
これらに対して、外光が強くなって明るさセンサ２２の出力が目標値αより大きくなった場合に、明るさセンサ２２の出力を目標値αにするために必要となる調光出力の降下幅がΔＴに達すると（変化条件を満たすと）、目標値αをΔＶだけ増分して新たな目標値βとし、明るさセンサ２２の出力が目標値βになるように、調光信号が生成されて送信される。逆に、外光が弱くなって明るさセンサ２２の出力が目標値αより小さくなった場合に、明るさセンサ２２の出力を目標値αにするために必要となる調光出力の上昇幅がΔＴに達すると、目標値αをΔＶだけ減分して新たな目標値εとし、明るさセンサ２２の出力が目標値εになるように、調光信号が生成されて送信される。
【００５７】
以上、実施形態２によれば、上記両点Ｐ１，Ｐ２間に対応する明るさセンサ２２の出力変化幅ΔＶと、両点Ｐ１，Ｐ２間に対応する各照明器具１の調光出力変化幅ΔＴとに基づいて、両点Ｐ１，Ｐ２から得られる一つの目標値を増減することにより、明るさセンサ２２の出力に応じた各照明器具１の調光出力を決定すれば、明るさセンサの出力値が所定の目標値になるように制御する場合に起こる被照射面に対する照度不足を防止することができる。フィードバック制御と定出力制御とを頻繁に使い分けることにより、被照射面における急激な明るさの変化を防止することができ、突発的明るさ変動による不快感がなくなる。
【００５８】
また、明るさセンサ２２の出力変化幅ΔＶと、各照明器具１の調光出力変化幅ΔＴと、両点Ｐ１，Ｐ２から得られる目標値とを保持するだけで済むので、記憶部２３の容量が少なくて済むという効果がある。
【００５９】
さらに、両点Ｐ１，Ｐ２から得られる目標値を直線的に増減するので、外光が変化しても被照射面の照度をほぼ一定に保つことが可能となる。
【００６０】
（実施形態３）
図７は本発明による実施形態３の照明制御方法の説明図である。
【００６１】
実施形態３の照明システムは、実施形態１と同様に構成され、実施形態１との相違点として、図７に示すように、テーブルが両点Ｐ１，Ｐ２間を通る直線ＬＮ１に沿った正弦波状の曲線ＬＮ１’上の各点からなることを特徴とする。図７の例では、各照明器具１の出力が所定の出力値より大きいとき、各照明器具１の出力変化を小さくし、各照明器具１の出力が所定の出力値より小さいとき、各照明器具１の出力変化を大きくするデータ列となっている。
【００６２】
以上、実施形態３によれば、各照明器具１の出力と外光の入射量によって制御量に変化をつけることができため、多様な要望に併せた明るさ制御が可能になる。特に、図７に示すように、各照明器具１の出力が大きいときに制御量を大きくし、各照明器具１の出力が小さいときに制御量を小さくすることで、各照明器具１の明るさ変化を使用者に気付かれ難くすることができる。なお、これに限らず、各照明器具１の出力が大きいときのみに制御量を大きくするようにし、各照明器具１の出力が小さいときには実施形態１と同様としてもよい。
【００６３】
（実施形態４）
図８は本発明による実施形態４の照明制御方法の説明図である。
【００６４】
実施形態４の照明システムは、実施形態２との相違点として、図８に示すように、上述の両点（Ｐ１，Ｐ２）から得られる一つの目標値を直線的ではなく曲線的に増減する方法を用いることを特徴とする。
【００６５】
そして、図８の例では、明るさセンサ出力方向の成分を一定の幅ΔＶに設定することにより、一つの目標値を曲線的に増減するため、調光出力方向の成分がΔＴ１〜ΔＴ３（ΔＴ１＞ΔＴ２＞ΔＴ１）のように複数種類発生している。なお、複数種類は３種類に限定されるものではなく、２種類でも、４種類以上でもよい。また、調光出力方向の成分を一定の幅とし、ΔＶの方を複数種類発生させるようにしてもよい。
【００６６】
この構成では、各照明器具１の調光出力がＤ１以下になるまでは、出力変化幅ΔＶと調光出力変化幅ΔＴ１とに基づいて目標値を増減することにより、明るさセンサ２２の出力に応じた各照明器具１の調光出力が決定される。各照明器具１の調光出力がＤ１からＤ２に達するまでは、出力変化幅ΔＶと調光出力変化幅ΔＴ２とに基づいて目標値を増減することにより、明るさセンサ２２の出力に応じた各照明器具１の調光出力が決定される。各照明器具１の調光出力がＤ２以下になれば、出力変化幅ΔＶと調光出力変化幅ΔＴ３とに基づいて目標値を増減することにより、明るさセンサ２２の出力に応じた各照明器具１の調光出力が決定される。
【００６７】
以上、実施形態４によれば、各照明器具１の出力と外光の入射量によって制御量に変化をつけることができため、多様な要望に併せた明るさ制御が可能になる。特に、図８に示すように、各照明器具１の出力が大きいときに制御量を大きくし、各照明器具１の出力が小さいときに制御量を小さくすることで、各照明器具１の明るさ変化を使用者に気付かれ難くすることができる。なお、これに限らず、各照明器具１の出力が大きいときのみに制御量を大きくするようにし、各照明器具１の出力が小さいときには実施形態２と同様としてもよい。
【００６８】
（実施形態５）
本発明による実施形態５の照明システムは、実施形態２，４との相違点として、上記両点（Ｐ１，Ｐ２）から得られる目標値を増減するタイミングを所定時間遅延する方法を用いることを特徴とする。
【００６９】
具体的には、例えば実施形態２の動作において、外光が強くなって明るさセンサ２２の出力が目標値αより大きくなった場合に、明るさセンサ２２の出力を目標値αにするために必要となる調光出力の降下幅がΔＴに達すると、所定時間待った後に、目標値αをΔＶだけ増分して新たな目標値βとし、明るさセンサ２２の出力が目標値βになるように、調光信号を生成して送信する。逆に、外光が弱くなって明るさセンサ２２の出力が目標値αより小さくなった場合に、明るさセンサ２２の出力を目標値αにするために必要となる調光出力の上昇幅がΔＴに達すると、所定時間待った後に、目標値αをΔＶだけ減分して新たな目標値εとし、明るさセンサ２２の出力が目標値εになるように、調光信号を生成して送信する。そして、制御部２０は上記の動作を行うように構成され、また所定時間を計時するためのタイマまたはタイマ機能が具備される。
【００７０】
以上、実施形態５によれば、明るさセンサ２２の出力に応じて各照明器具１の調光出力を決定する制御を簡易にできる。
【００７１】
（実施形態６）
図９は本発明による実施形態６の照明制御方法の説明図、図１０は同照明制御方法を用いる照明制御装置を含む照明システムの概略構成図、図１１は同照明システムのブロック図である。
【００７２】
実施形態６の照明システムは、実施形態１，３との相違点として、図１０，図１１に示すように、外光の明暗のみに応じて出力を変化させる明るさセンサとしての外光センサ３をさらに備えるほか、外光センサ３からの出力を入力する外光センサ入力部２４を照明制御装置２内に備え、外光の暗時の、各照明器具１の調光出力範囲に対する外光センサ３の出力変化特性線と、外光の明時の、各照明器具１の調光出力範囲に対する外光センサ３の出力変化特性線とにおける机上面（被照射面）の明るさが等しくなる両点を基に、外光センサ３の出力に応じた各照明器具１の調光出力を決定する照明制御方法を用いることを特徴とする。そして、上記両点間を通る直線を基に得られる各点からなり、各照明器具１の調光出力を外光センサ３の出力に対応付けて含むように、テーブルが作成される。
【００７３】
例えば、図９に示すように、上記両点間を通る直線ＬＮ１上の各点からなるテーブルを作成すれば、外光が変化しても被照射面の照度を一定に保つことが可能となる。
【００７４】
実施形態６でも、実施形態１，３とほぼ同様の効果を奏することができるほか、外光センサ３の出力が照明システム内の各照明器具１の影響を受けないので、各照明器具１の出力において自己の光に起因する振動を無くすことができ、より安定した照明環境を提供することができる。
【００７５】
（実施形態７）
本発明による実施形態７の照明システムは、実施形態２，４，５との相違点として、実施形態６と同様に、外光センサ３をさらに備えるほか、外光センサ入力部２４を照明制御装置２内に備え、外光の暗時の、各照明器具１の調光出力範囲に対する外光センサ３の出力変化特性線と、外光の明時の、各照明器具１の調光出力範囲に対する外光センサ３の出力変化特性線とにおける机上面の明るさが等しくなる両点を基に、外光センサ３の出力に応じた各照明器具１の調光出力を決定する照明制御方法を用いることを特徴とする。そして、上記両点間に対応する外光センサ３の出力変化幅と、両点間に対応する各照明器具１の調光出力変化幅とに基づいて、両点から得られる目標値を増減することにより、外光センサ３の出力に応じた各照明器具１の調光出力を決定する（図６参照。ただし、「明るさセンサ出力」は「外光センサ出力」となる。）。
【００７６】
例えば、図６と同様に、両点から得られる目標値を直線的に増減すれば、外光が変化しても被照射面の照度を一定に保つことが可能となる。
【００７７】
実施形態７でも、実施形態２，４，５とほぼ同様の効果を奏することができるほか、外光センサ３の出力が照明システム内の各照明器具１の影響を受けないので、各照明器具１の出力において自己の光に起因する振動を無くすことができ、より安定した照明環境を提供することができる。
【００７８】
（実施形態８）
図１２は本発明による実施形態８の照明制御方法の説明図である。
【００７９】
実施形態８の照明システムは、実施形態１，３，６との相違点として、テーブルを複数種類設け、これら複数種類のテーブルのうちいずれかの種類のテーブルに切り替え、この切り替えたテーブルを基に、明るさセンサ２２の出力に対する各照明器具１の調光出力を特定することを特徴とする。
【００８０】
実施形態１，３，６では、実際の室内環境に合わせてテーブルが作成されるが、実施形態８では、例えば、図１７の特性の違いの原因となる窓の大きさや数などの各種室内環境や季節などに合わせて、予め作成された各種テーブルが記憶部２３に記憶されており、使用者は、リモコンなどを用いて、それら複数種類のテーブルから自己の室内環境等に合ったテーブルを選択設定する。
【００８１】
図１２は、上述の両点Ｐ１，Ｐ２間を通る直線ＬＮ１に対応し、ある室内環境に適応する直線ＬＮ１１、別の室内環境に適応する直線ＬＮ１２およびさらに別の室内環境に適応する直線ＬＮ１３から求められる３種類のテーブル（調光差分テーブル）が予め用意される例となっている。もちろん、３種類に限らず、２種類や４種類以上のテーブルを予め用意しておいてもよいことは言うまでもない。
【００８２】
上記照明制御方法を用いる照明システムでは、先ず、夜間などで外光および各照明器具の光のうち外光のみが無い状態において、机上面照度が所望の照度（図１２では使用者の嗜好明るさ）になるように、リモコンを操作して各照明器具１の調光をし、そのときのセンサ出力αと調光出力７０％とを設定値として記憶部２３に記憶する。
【００８３】
次いで、リモコンなどで複数種類のテーブルから、室内環境に合ったテーブルを選択設定すれば、選択設定されたテーブル中の各データのうち、センサ出力α、調光出力７０％に対応するデータを最大出力とし、その最大出力以下のデータを、センサ出力に応じて読み出すことにより、各照明器具１に対する調光制御が実行される。
【００８４】
以上、実施形態８によれば、実施形態１，３，６と同様の効果を奏することができるほか、実際の室内環境に合わせる手間が不要となり、使い勝手が良くなる。また、上記のようなテーブルを嗜好に合わせて選択設定できるように各種用意しておけば、使用者の嗜好に合わせて明るさ感を容易に変化させることが可能となる。
【００８５】
なお、実施形態８において、テーブルの選択設定は、リモコンに限らず、例えば照明制御装置２に設けられる選択スイッチなどにより行われるようにしてもよい。
【００８６】
（実施形態９）
図１３は本発明による実施形態９の照明制御方法の説明図である。
【００８７】
実施形態９の照明システムは、実施形態２，４，５，７との相違点として、明るさセンサ２２の出力変化幅、各照明器具１の調光出力変化幅および目標値を種類別に複数組み設け、これら複数組みをいずれかの組みに切り替え、この切り替えた組みの明るさセンサ２２の出力変化幅、各照明器具１の調光出力変化幅および目標値を基に、明るさセンサ２２の出力に応じた各照明器具１の調光出力を決定することを特徴とする。
【００８８】
実施形態２，４，５，７では、実際の室内環境に合わせて、明るさセンサ２２の出力変化幅、各照明器具１の調光出力変化幅および目標値が作成されるが、実施形態９では、例えば、図１７の特性の違いの原因となる窓の大きさや数などの各種室内環境や季節などに合わせて、予め作成された複数組みの明るさセンサ２２の出力変化幅、各照明器具１の調光出力変化幅および目標値が記憶部２３に記憶されており、使用者は、リモコンなどを用いて、それら複数組みから自己の室内環境等に合った組みを選択設定する。
【００８９】
図１３は、上述の両点Ｐ１，Ｐ２間を通る直線ＬＮ１に対応し、ある室内環境に適応する直線ＬＮ１１、別の室内環境に適応する直線ＬＮ１２およびさらに別の室内環境に適応する直線ＬＮ１３から求められる３種類の明るさセンサ２２の出力変化幅、各照明器具１の調光出力変化幅および目標値が予め用意される例となっている。すなわち、直線ＬＮ１１からは、明るさセンサ２２の出力変化幅ΔＶ、各照明器具１の調光出力変化幅ΔＴ１および目標値が求められ、直線ＬＮ１２からは、明るさセンサ２２の出力変化幅ΔＶ、各照明器具１の調光出力変化幅ΔＴ２および目標値が求められ、直線ＬＮ１３からは、明るさセンサ２２の出力変化幅ΔＶ、各照明器具１の調光出力変化幅ΔＴ３および目標値が求められる。もちろん、３種類に限らず、２種類や４種類以上を予め用意しておいてもよいことは言うまでもない。
【００９０】
上記照明制御方法を用いる照明システムでは、先ず、夜間などで外光および各照明器具の光のうち外光のみが無い状態において、机上面照度が所望の照度になるように、リモコンを操作して各照明器具１の調光をし、そのときのセンサ出力（図１３ではα）と調光出力（７０％）とを設定値として記憶部２３に記憶する。
【００９１】
次いで、リモコンなどで、複数組みの明るさセンサ２２の出力変化幅、各照明器具１の調光出力変化幅および目標値から、室内環境に合った組みのものを選択設定すれば、選択設定された明るさセンサ２２の出力変化幅、各照明器具１の調光出力変化幅および目標値を基に、調光出力７０％を最大出力として、明るさセンサ２２の出力に応じた各照明器具１の調光出力が決定され、この調光出力になるように、各照明器具１に対する調光制御が実行される。
【００９２】
以上、実施形態９によれば、実施形態２，４，５，７と同様の効果を奏することができるほか、実際の室内環境に合わせる手間が不要となり、使い勝手が良くなる。また、上記のような明るさセンサ２２の出力変化幅、各照明器具１の調光出力変化幅および目標値を嗜好に合わせて選択設定できるように各種用意しておけば、使用者の嗜好に合わせて明るさ感を容易に変化させることが可能となる。
【００９３】
なお、実施形態９において、明るさセンサ２２の出力変化幅、各照明器具１の調光出力変化幅および目標値の選択設定は、リモコンに限らず、例えば照明制御装置２に設けられる選択スイッチなどにより行われるようにしてもよい。
【００９４】
（実施形態１０）
図１４は本発明による実施形態１０の照明制御方法の説明図である。
【００９５】
実施形態１０の照明システムは、実施形態１，３，６，８のいずれかと、実施形態２，４，５，７，９のいずれかとを組み合わせたものであり、各照明器具１の調光出力範囲の一部（図１４の例では６０％〜０％）に対しては、上記両点間を通る直線を基に得られる各点からなり、明るさセンサ２２の出力に対する各照明器具１の調光出力を含むテーブルを設け、このテーブルから明るさセンサ２２の出力に対する各照明器具１の調光出力を特定することにより、明るさセンサ２２の出力に応じた各照明器具１の調光出力を決定する一方、各照明器具１の調光出力範囲の別の一部（１００〜６０％）に対しては、上記両点間に対応する明るさセンサ２２の出力変化幅と、両点間に対応する各照明器具１の調光出力変化幅とに基づいて、両点から得られる目標値を増減することにより、明るさセンサ２２の出力に応じた各照明器具１の調光出力を決定することを特徴とする。
【００９６】
図１４の例では、６０〜０％の調光出力範囲に対しては、実施形態１のテーブルが使用され、１００〜６０％の調光出力範囲に対しては、実施形態２の明るさセンサ２２の出力変化幅、各照明器具１の調光出力変化幅および目標値が使用されている。なお、６０〜０％、１００〜６０％に限らず、例えば６５〜０％、１００〜６５％のように任意に設定可能であり、また、実施形態１ではなく実施形態３，６，８でもよく、実施形態２ではなく実施形態４，５，７，９でもよく、さらに、外光暗側に明るさセンサ２２の出力変化幅等を使用し、外光明側にテーブルを使用してもよいことは言うまでもない。また、調光出力に限らず、明るさセンサ２２の出力を基に、明るさセンサ２２の出力変化幅等とテーブルとを使い分けるようにしてもよい。
【００９７】
以上、実施形態１０によれば、明るさセンサ２２の出力値が所定の目標値になるように制御する場合に起こる被照射面に対する照度不足を防止することができるほか、多様な要望に併せた明るさ制御が可能になる。例えば、調光出力が高いときには明るさの変化に対して敏感な制御を行い、調光出力が低いときには明るさの変化に対して緩やかに反応する制御を行うことにより、明るさ変化を使用者に気付き難くする効果が期待される。
【００９８】
（実施形態１１）
図１５は本発明による実施形態１１の照明制御方法の説明図である。
【００９９】
実施形態１０の照明システムは、実施形態１，３，６，８，１０との相違点として、複数種類のテーブル（図１５の例ではＬＮ１１，ＬＮ１２，ＬＮ１３から求められる調光テーブル）を予め記憶部２３に記憶し、それら複数種類のテーブルの平均となるテーブルを基に、明るさセンサ２２の出力に応じた各照明器具１の調光出力を決定することを特徴とする。図１５では、平均となるテーブルは、ＬＮ１０に対応するデータとなっている。
【０１００】
実施形態１１によっても、実際の室内環境に合わせる手間が不要となり、使い勝手が良くなる。また、明るさ感を損なわない省エネ照明制御が可能となる。
【図面の簡単な説明】
【０１０１】
【図１】本発明による実施形態１の照明制御方法の説明図である。
【図２】同照明制御方法を用いる照明制御装置を含む照明システムの概略構成図である。
【図３】同照明システムのブロック図である。
【図４】上記照明制御装置内の明るさセンサの検出エリアを示す図である。
【図５】同明るさセンサの入出力特性図である。
【図６】本発明による実施形態２の照明制御方法の説明図である。
【図７】本発明による実施形態３の照明制御方法の説明図である。
【図８】本発明による実施形態４の照明制御方法の説明図である。
【図９】本発明による実施形態６の照明制御方法の説明図である。
【図１０】同照明制御方法を用いる照明制御装置を含む照明システムの概略構成図である。
【図１１】同照明システムのブロック図である。
【図１２】本発明による実施形態８の照明制御方法の説明図である。
【図１３】本発明による実施形態９の照明制御方法の説明図である。
【図１４】本発明による実施形態１０の照明制御方法の説明図である。
【図１５】本発明による実施形態１１の照明制御方法の説明図である。
【図１６】従来の照明制御方法の説明図である。
【図１７】従来の照明制御方法の課題の説明図である。
【符号の説明】
【０１０２】
１  照明器具
１０  光源制御部
１１  光源
２  照明制御装置
２０  制御部
２１  リモコン送受信部
２２  明るさセンサ
２３  記憶部
２４  外光センサ入力部
３  外光センサ
【図１】
2005158458.tif 000004
【図２】
2005158458.tif 000005
【図３】
2005158458.tif 000006
【図４】
2005158458.tif 000007
【図５】
2005158458.tif 000008
【図６】
2005158458.tif 000009
【図７】
2005158458.tif 000010
【図８】
2005158458.tif 000011
【図９】
2005158458.tif 000012
【図１０】
2005158458.tif 000013
【図１１】
2005158458.tif 000014
【図１２】
2005158458.tif 000015
【図１３】
2005158458.tif 000016
【図１４】
2005158458.tif 000017
【図１５】
2005158458.tif 000018
【図１６】
2005158458.tif 000019
【図１７】
2005158458.tif 000020